(57)【要約】      （修正有）【課題】接続管に検出器を挿入し、気圧、ＭＤＩ、気体、温度を検出すること、又は吸痰管を挿入して吸痰することに便利であると共に、接続管内部の気体が外部に漏れることを防止できる医療用コネクタ及び単一方向弁モジュールを提供する。【解決手段】医療用コネクタ１０及び単一方向弁モジュール２は、接続管１に用いられ、接続管は、連通口１１１を有し、単一方向弁モジュールは、第１バルブ部材２１及び第２バルブ部材２２を含む。第１バルブ部材及び第２バルブ部材は、相互に積層されて連通口に取り付けられ、第１バルブ部材は、第１切れ込み２１１を有し、第２バルブ部材は、第２切れ込み２２１を有し、第１切れ込み及び第２切れ込みは、交差を呈して配置され連通口を密閉する。【選択図】図３
0003201411.tif 000002
【実用新案登録請求の範囲】
【請求項１】
第１管体と、該第１管体から延伸して該第１管体と相互に連通する第２管体接続管と、を含み、該第１管体の両端にそれぞれ連通口及び第１接続口を有し、該第２管体の末端に第２接続口を有する接続管と、
該連通口に取り付けられ、該連通口を密閉する単一方向弁モジュールと、を含み、
該単一方向弁モジュールは、積層配置された第１バルブ部材及び第２バルブ部材を含み、該第１バルブ部材は、第１切れ込みを設け、該第２バルブ部材は、第２切れ込みを設ける医療用コネクタ。
【請求項２】
前記第１切れ込み及び該第２切れ込みは、交差を呈して配置される請求項１に記載の医療用コネクタ。
【請求項３】
前記第１切れ込み及び該第２切れ込みの間に挟み角を有し、該挟み角は、３０度〜１５０度の間である請求項２に記載の医療用コネクタ。
【請求項４】
前記第１切れ込み及び該第２切れ込みの間に挟み角を有し、該挟み角は、９０度である請求項２に記載の医療用コネクタ。
【請求項５】
前記接続管は、Ｙ字状管又はＴ字状管である請求項１に記載の医療用コネクタ。
【請求項６】
前記第１管体の該連通口箇所に端縁を形成し、該第１バルブ部材は、第１盤体を有し、該第１管体周縁から環壁を延伸し、該環壁は、該第１盤体から離れる一端に外向きに係止凸環を延伸し、該第１切れ込みは、該第１盤体から開設し、該環壁は、該第１管体に貫通設置されるとともに貼合氏、該係止凸環及び該端縁は相互に係止して限位する請求項１に記載の医療用コネクタ。
【請求項７】
前記第１管体は、相対する２つの透過溝を有し、該環壁は、２つの貫通溝を設け、該第２バルブ部材は、第２盤体を有し、該第２管体両側から２つの翼片を延伸し、各該翼片末端に凸ブロックを延伸し、該第２切れ込みは、該第２盤体から開設し、該第２盤体及び該第１盤体は、相互に積層されて貼合し、各該翼片は、各該貫通溝及び該透過溝に穿合し、該突出ブロック及び該第１管体は、相互に係止して限位する請求項６に記載の医療用コネクタ。
【請求項８】
前記第１盤体は、複数の凸点を延伸し、該第２盤体は、複数の凹溝を設け、各該凸点は、各該凹溝に嵌合する請求項７に記載の医療用コネクタ。
【請求項９】
前記第１盤体及び該第２盤体は、それぞれ該連通口から離れる方向へ突出する凸面盤である請求項７に記載の医療用コネクタ。
【請求項１０】
更に、第１回転管及び第２回転管を含み、該第１回転管は、該第１接続口に接続され、該第１管体に相対して回転することができ、該第２回転管は、該第２接続口に接続し、該第２管体に相対して回転することができる請求項１に記載の医療用コネクタ。
【請求項１１】
前記第１管体内部に第１嵌合環を延伸し、該第１回転管外部に第１環溝を設け、該第１回転管一端は、該第１接続口から該第１管体に貫通設置され、該第１嵌合環は、該第１環溝に嵌合する請求項１０に記載の医療用コネクタ。
【請求項１２】
前記第２管体外部に第２環溝を設け、該第２回転管内部に第１嵌合環を延伸し、該第２回転管一端は、該第２接続口から該第２管体に被せもう?られ、該第１嵌合環は、該第２嵌合溝に嵌合される請求項１０に記載の医療用コネクタ。
【請求項１３】
前記第１バルブ部材及び第２バルブ部材は、それぞれプラスチック又はゴムから構成される請求項１に記載の医療用コネクタ。
【請求項１４】
接続管に用いられる単一方向弁モジュールであって、前記接続管は、連通口を有し、該単一方向弁モジュールは、
前記連通口に取り付けられるとともに該連通口を密閉し、該第１バルブ部材に第１切れ込みを設ける第１バルブ部材と、
前記第１バルブ部材と相互に積層され、該第２バルブ部材は、第２切れ込みを設ける第２バルブ部材と、
を含む単一方向弁モジュール。
【請求項１５】
前記第１切れ込み及び該第２切れ込みは、交差を呈して配置される請求項１４に記載にされる単一方向弁モジュール。
【請求項１６】
前記第１切れ込み及び該第２切れ込みの間に挟み角を有し、該挟み角は、３０度〜１５０度の間である請求項１５に記載の単一方向弁モジュール。
【請求項１７】
前記第１切れ込み及び該第２切れ込みの間に挟み角を有し、該挟み角は、９０度である請求項２に記載の請求項１５に記載の単一方向弁モジュール。
【請求項１８】
前記接続管の該連通口箇所に端縁を形成し、該第１バルブ部材は、第１盤体を有し、該第１管体周縁から環壁を延伸し、該環壁は、該第１盤体から離れる一端に外向きに係止凸環を延伸し、該第１切れ込みは、該第１盤体から開設し、該環壁は、該第１管体に貫通設置されるとともに貼合氏、該係止凸環及び該端縁は相互に係止して限位する請求項１４に記載の単一方向弁モジュール。
【請求項１９】
前記接続管は、相対する２つの透過溝を有し、該環壁は、２つの貫通溝を設け、該第２バルブ部材は、第２盤体を有し、該第２管体両側から２つの翼片を延伸し、各該翼片末端に凸ブロックを延伸し、該第２切れ込みは、該第２盤体から開設し、該第２盤体及び該第１盤体は、相互に積層されて貼合し、各該翼片は、各該貫通溝及び該透過溝に穿合し、該突出ブロック及び該接続管は、相互に係止して限位する請求項１８に記載の単一方向弁モジュール。
【請求項２０】
記第１盤体は、複数の凸点を延伸し、該第２盤体は、複数の凹溝を設け、各該凸点は、各該凹溝に嵌合する請求項１９に記載の単一方向弁モジュール。
【請求項２１】
前記第１盤体及び該第２盤体は、それぞれ該連通口から離れる方向へ突出する凸面盤である請求項１９に記載の単一方向弁モジュール。
【請求項２２】
前記第１バルブ部材及び第２バルブ部材は、それぞれプラスチック又はゴムから構成される請求項１４に記載の単一方向弁モジュール。
【考案の詳細な説明】
【技術分野】
【０００１】
本考案は、医療用コネクタに関し、特に、医療用コネクタ及びその単一方向弁モジュールに関する。
【背景技術】
【０００２】
医療用コネクタは、医療現場及び医療行為に広く応用され、例えば、患者が自主的に呼吸することが困難な疾患を有する場合、常に呼吸機（Mechanical Ventilator）に依頼して通気を維持し、この呼吸機は、呼吸管を有し、患者は、呼吸マスクを装着し、医療用コネクタは、呼吸管と子Y空マスクの間に取り付けられ、呼吸管と呼吸マスクを連通し、呼吸機が発生するガスが呼吸マスクに伝送されるように補助する。
【０００３】
しかしながら、現在の医療用コネクタは、しばしば、延伸管を一体に延伸し、この延伸管は、検出器を挿入して気圧、ＭＤＩ、気体、温度を検出するか、吸痰管を挿入して吸痰等の効果を得ることに用いられることができるが、医療用コネクタに内部気体が延伸管から外部に漏れる問題を発生させ易く、気体の圧力又は濃度に影響を及ぼし、更には、患者の治療状況に影響を及ぼす。
【０００４】
これに鑑み、本考案者は、上記現有技術に対して、研究に専念しており、学理の運用を合わせ、上記の問題点の解決に尽力することが本考案者の開発の目標となっている。
【先行技術文献】
【特許文献】
【０００５】
【特許文献１】特開２００８−１６１６７２号公報
【特許文献２】特開２００７−３０１１３５号公報
【考案の概要】
【考案が解決しようとする課題】
【０００６】
本考案の目的は、医療用コネクタ及びその単一方向弁モジュールを提供し、第１切れ込み及び第２切れ込みの交際を呈した配置を利用し、接続管が第１切れ込み及び第２切れ込みの交差箇所によって検出器を挿入し、気圧、ＭＤＩ、気体、温度を検出するか、吸痰管を挿入し、吸痰を行うことに便利にし、接続管内部の気体が第１切れ込み及び第２切れ込みの交差箇所から外部に漏れることを有効に防止し、医療用コネクタおと単一方向弁モジュールが良好な使用利便性及び気体漏洩防止性を有することを達成することにある。
【課題を解決するための手段】
【０００７】
上記目的を達成する為、本考案が提供する医療用コネクタは、第１管体と、該第１管体から延伸して該第１管体と相互に連通する第２管体接続管と、を含み、該第１管体の両端にそれぞれ連通口及び第１接続口を有し、該第２管体の末端に第２接続口を有する接続管と、該連通口に取り付けられ、該連通口を密閉する単一方向弁モジュールと、を含み、該単一方向弁モジュールは、積層配置された第１バルブ部材及び第２バルブ部材を含み、該第１バルブ部材は、第１切れ込みを設け、該第２バルブ部材は、第２切れ込みを設け、該第１切れ込み及び該第２切れ込みは、交差を呈して配置される。
【０００８】
上記目的を達成する為、本考案が提供する単一方向弁モジュールは、接続管に用いられ、前記接続管は、連通口を有し、該単一方向弁モジュールは、前記連通口に取り付けられ、前記連通口を密閉し、第１切れ込みを設ける第１バルブ部材と、該第１バルブ部材と相互に積層され、第２切れ込みを設ける第２バルブ部材とを含み、該第１切れ込み及び第２切れ込みは、交差を呈して配置される。
【考案の効果】
【０００９】
本考案は、更に、以下の効果を有する。
その一、医療用コネクタが更に第１回転管及び第２回転管を含み、第１回転管は、第１接続口に接続され、第１管体に相対して回転することができ、第２回転管は、第２接続口に接続し、第２管体に相対して回転することができ、第１回転管又は第２回転管がその他の外部管体に接続する時、不注意で外部管体まで接触、移動又は回転させても接続管の位置に干渉することがなく、医療用コネクタの使用安全性を向上する。
その二、第１盤体及び第２盤体は、それぞれ連通口から離れる方向へ突出する凸面盤であり、第１切れ込み及び第２切れ込みの開放方向を検出器又は吸痰管の挿入方向と同一方向にさせ、検出器又は吸痰管連通口内部に挿入し易くし、医療用コネクタと単一方向弁モジュールの使用利便性を向上させる。
【図面の簡単な説明】
【００１０】
【図１】本考案の医療用コネクタの立体分解図である。
【図２】本考案の医療用コネクタの立体組み合わせ図である。
【図３】本考案の医療用コネクタの断面説明図である。
【図４】本考案の医療用コネクタのもう１つの断面説明図である。
【図５】本考案の医療用コネクタの使用状態説明図である。
【図６】本考案の医療用コネクタのもう１つの実施例の断面説明図である。
【考案を実施するための形態】
【００１１】
本考案の詳細及び技術内容の実施例について、図面を併せて以下に説明するが、図面は、ただ説明に用いるだけであり、本考案を制限するものではない。
【００１２】
図１〜図５に示すように、本考案の実施例は、医療用コネクタ及びその単一方向弁モジュールを提供し、この医療用コネクタ１０は、主に接続管１及び単一方向弁モジュール２を含み、単一方向弁モジュール２は、主に第１バルブ部材２１及び第２バルブ部材２２を含む。
【００１３】
接続管１は、一字状管、Ｙ字状管、Ｔ字状管等の幾何形状管体であることができ、本実施例の接続管１は、Ｙ字状管を例として説明するが、これに制限するものではない。
【００１４】
図１〜図４に示すように、接続管１は、第１管体１１及び第１管体１１から延伸し、第１管体と相互に連通する第２管体１２を含み、第１管体１１両端にそれぞれ連通口１１１及び第１接続口１１２を有し、第２管体１２の末端に第２接続口１２１を有する。そのうち、第１切れ込み２１１及び第２切れ込み２２１の間に挟み角θを有し、挟み角θは、３０度〜１５０度の間であり、この挟み角θの最適な実施例は、９０度である。
【００１５】
また、第１管体１１は、連通口１１１箇所に端縁１１３を形成し、且つ第１管体１１は管壁上に相対する２つの透過溝１１４を設け、管壁内部に第１嵌合環１１５を延伸する。
【００１６】
図１〜図４に示すように、単一方向弁モジュール２は、連通口１１１に取り付けられるとともに密閉し、単一方向弁モジュール２は、積層配置される第１バルブ部材２１及び第２バルブ部材２２を含み、第１バルブ部材２１は、第１切れ込み２１１を設け、第２バルブ部材２２は、第２切れ込み２２１を設け、第１切れ込み２１１及び第２切れ込み２２１は、交差を呈して配置される。
【００１７】
以下に詳細に説明し、第１バルブ部材２１は、第１盤体２１２を有し、第１盤体２１２周縁から環壁２１３を延伸し、環壁２１３の第１盤体２１２から離れる一端は、外向きに係止凸環２１４を延伸し、且つ環壁２１３に相対する２つの貫通溝２１５を設け、第１切れ込み２１１は、第１盤体２１２上から開設し、環壁２１３は、第１管体１１に貫通設置されるとともに貼合され、係止凸環２１４は、端縁１１３と相互に係止して限位する。
【００１８】
また、第２バルブ部材２２は、第２盤体２２２を有し、第２盤体２２２両側から２つの翼片２２３を延伸し、各翼片２２３末端に突出ブロック２２４を延伸し、第２切れ込み２２１は、第２盤体２２２上から開設し、第２盤体２２２は、第１盤体２１２と相互に積層されて貼合し、各翼片２２３は、各貫通溝２１５及び透過溝１１４に穿合し、突出ブロック２２４及び第１管体１１は、相互に限定した位置に係止される。
【００１９】
また、図３〜図４に示すように、第１盤体２１２は、複数の凸点２１２１を延伸し、第２盤体２２２は、複数の凹溝２２２１を設け、各凸点２１２１は、各凹溝２２２１に嵌合し、第１盤体２１２が第２盤体２２２に相対して偏移又は回転することを防止し、第１盤体２１２の位置を制限し、固定する。
【００２０】
図１〜図４に示すように、本考案の医療用コネクタ１０は、第１回転管３及び第２回転管４を更に含み、第１回転管３は、第１接続口１１２に接続し、第１管体１１に相対して回転することができ、第２回転管４は、第２接続口１２１に接続し、第２管体１２に相対して回転することができる。
【００２１】
更に以下に説明し、第１回転管３外部に第１環溝３１を設け、第１回転管３一端は、第１接続口１１２から第１管体１１に貫通設置され、第１嵌合環１１５は、第１環溝３１に嵌合され、第１回転管３を第１管体１１に相対して回転させる。
【００２２】
また、第２管体１２外部に第２環溝１２２を設け、第２回転管４内部に第１嵌合環４１を延伸し、第２回転管４一端は、第２接続口１２１から第２管体１２に被せ設けられ、第１嵌合環１１５は、第２環溝１２２に嵌合し、第２回転管４を第２管体１２に相対して回転させる。
【００２３】
また、第１バルブ部材２１及び第２バルブ部材２２は、それぞれプラスチック又はゴム等の材質で構成され、且つ第１管体１１、第２管体１２、第１バルブ部材２１、第２バルブ部材２２、第１回転管３又は第２回転管４は、銀イオン等の抗菌材料を添加するか、銀イオン薄膜等の抗菌薄膜をコーティングすることもでき、第１管体１１、第２管体１２、第１バルブ部材２１、第２バルブ部材２２、第１回転管３又は第２回転管４の抗菌応力を向上することができる。
【００２４】
図３〜図４に示すように、本考案の実施例の医療用コネクタ１０の組み合わせは、第１管体１１と、該第１管体１１から延伸して該第１管体１１と相互に連通する第２管体１２と、を含み、該第１管体１１の両端にそれぞれ連通口１１１及び第１接続口１１２を有し、該第２管体１２の末端に第２接続口１２１を有する接続管１と、該連通口１１１に取り付けられ、該連通口１１１を密閉する単一方向弁モジュール２と、を利用し、該単一方向弁モジュール２は、積層配置された第１バルブ部材２１及び第２バルブ部材２２を含み、該第１バルブ部材２１は、第１切れ込み２１１を設け、該第２バルブ部材２２は、第２切れ込み２２１を設け、該第１切れ込み２１１及び該第２切れ込み２２１は、交差を呈して配置される。
【００２５】
図３〜図４に示すように、本考案の単一方向弁モジュール２の組み合わせは、第２バルブ部材２２及び第１バルブ部材２１の相互の積層を利用し、第２バルブ部材２２は、第２切れ込み２２１を有し、第１切れ込み２１１及び第２切れ込み２２１と交差を呈して配置される。
【００２６】
図５に示すように、本考案の実施例の医療用コネクタ１０及び単一方向弁モジュール２の使用状態は、以下を利用する。第１バルブ部材２１は、第１切れ込み２１１によって開放又は閉合の効果を達成し、第２バルブ部材２２は、第２切れ込み２２１によって開放又は閉合の効果を達成し、接続管１が第１切れ込み２１１及び第２切れ込み２２１の交差箇所を介して検出器を挿入し、気圧、ＭＤＩ、気体、温度を検出するか、吸痰管１００を挿入して吸痰し、第１切れ込み２１１及び第２切れ込み２２１が交差を呈して配置されることにより、第１バルブ部材２１及び第２バルブ部材２２の開放方向を相互に干渉させ、第１バルブ部材２１及び第２バルブ部材２２の開放口が過度に大きくなることを回避し、接続管１内部の気体が第１切れ込み２１１及び第２切れ込み２２１の交差箇所から外部へ洩れることを有効に防止し、医療用コネクタ１０及び単一方向弁モジュール２に良好な使用利便性及び気体漏洩防止性をもたせる。
【００２７】
また、図１〜図５に示すように、環壁２１３は、第１管体１１に貫通設置されるとともに、貼合され、係止凸環２１４及び端縁１１３が相互に係止して限位し、第２盤体２２２及び第１盤体２１２が相互に積層されて貼合し、各翼片２２３は、貫通溝２１５及び透過溝１１４に穿合され、突出ブロック２２４及び第１管体１１は、相互に係止して限位され、第１バルブ部材２１及び第２バルブ部材２２を連通口１１１にしっかりと取り付けさせて密閉し、また、各凸点２１２１は、各凹溝２２２１に嵌合し、第１盤体２１２の第２盤体２２２に対する偏移又は回転を防止し、第１バルブ部材２１及び第２バルブ部材２２の結合能力を強化する。
【００２８】
また、図１〜図５に示すように、医療用コネクタ１０は、第１回転管３及び第２回転管４を含み、第１回転管３は、第１接続口１１２に接続し、第１管体１１に相対して回転することができ、第２回転管４は、第２接続口１２１に接続し、第２管体１２に相対して回転することができ、第１回転管３又は第２回転管４がその他の管体に接続する時、不注意で外部管体に接触、移動又は回転させた場合に接続管１の位置に干渉することがなく、医療用コネクタ１０の使用安全性を向上する。
【００２９】
図６を参照し、それは、本考案の医療用コネクタ１０と単一方向弁モジュール２のもう１つの実施例であり、図６の実施例は、図１〜図５の実施例とほぼ同じであるが、図６の実施例と図１〜図５の実施例の相違は、第１盤体２１２と第２盤体２２２がそれぞれ連通口１１１から離れる方向へ突出する凸面盤２３であることにある。
【００３０】
以下に詳細に説明し、検出器又は吸痰管は、連通口１１１を介して接続管１内部に挿入するので、第１盤体２１２及び第２盤体２２２は、連通口１１１から離れる方向へ突出する凸面盤２３であり、第１切れ込み２１１及び第２切れ込み２２１の開放方向を検出器又は吸痰間の挿入方向と同じにさせ、検出器又は吸痰管が連通口１１１内部に挿入するよう誘導し、医療用コネクタ１０及び単一方向弁モジュール２の使用利便性を向上する。
【００３１】
そのうち、各凸面盤２３は、連通口１１１から離れる方向へ突出する平凸盤又は凹凸盤であることができ、本実施例の凸面板２３は、凹凸版であるが、これに制限するものではない。
【００３２】
上記のように、本考案の医療用コネクタ及びその単一方向弁モジュールは、同類製品又は公開使用が見られず、産業利用性、新規性、進歩性を有する。
【符号の説明】
【００３３】
１０  医療用コネクタ
１  接続管
１１  第１管体
１１１  連通口
１１２  第１接続口
１１３  端縁
１１４  透過溝
１１５  第１嵌合環
１２  第２管体
１２１  第２接続口
１２２  第２環溝
２  単一方向弁モジュール
２１  第１バルブ部材
２１１  第１切れ込み
２１２  第１盤体
２１２１  凸点
２１３  環壁
２１４  係止凸環
２１５  貫通溝
２２  第２バルブ部材
２２１  第２切れ込み
２２２  第２盤体
２２２１  凹溝
２２３  翼片
２２４  突出ブロック
２３  凸面盤
３  第１回転管
３１  第１環溝
４  第２回転管
４１  第１嵌合環
θ  挟み角
１００  吸痰管
【図１】
0003201411.tif 000003
【図２】
0003201411.tif 000004
【図３】
0003201411.tif 000005
【図４】
0003201411.tif 000006
【図５】
0003201411.tif 000007
【図６】
0003201411.tif 000008
【手続補正書】
【提出日】平成27年10月9日(2015.10.9)
【手続補正１】
【補正対象書類名】実用新案登録請求の範囲
【補正対象項目名】全文
【補正方法】変更
【補正の内容】
【実用新案登録請求の範囲】
【請求項１】
第１管体と、該第１管体から延伸して該第１管体と相互に連通する第２管体接続管と、を含み、該第１管体の両端にそれぞれ連通口及び第１接続口を有し、該第２管体の末端に第２接続口を有する接続管と、
該連通口に取り付けられ、該連通口を密閉する単一方向弁モジュールと、を含み、
該単一方向弁モジュールは、積層配置された第１バルブ部材及び第２バルブ部材を含み、該第１バルブ部材は、第１切れ込みを設け、該第２バルブ部材は、第２切れ込みを設ける医療用コネクタ。
【請求項２】
前記第１切れ込み及び該第２切れ込みは、交差を呈して配置される請求項１に記載の医療用コネクタ。
【請求項３】
前記第１切れ込み及び該第２切れ込みの間に挟み角を有し、該挟み角は、３０度〜１５０度の間である請求項２に記載の医療用コネクタ。
【請求項４】
前記第１切れ込み及び該第２切れ込みの間に挟み角を有し、該挟み角は、９０度である請求項２に記載の医療用コネクタ。
【請求項５】
前記接続管は、Ｙ字状管又はＴ字状管である請求項１に記載の医療用コネクタ。
【請求項６】
前記第１管体の該連通口箇所に端縁を形成し、該第１バルブ部材は、第１盤体を有し、該第１管体周縁から環壁を延伸し、該環壁は、該第１盤体から離れる一端に外向きに係止凸環を延伸し、該第１切れ込みは、該第１盤体から開設し、該環壁は、該第１管体に貫通設置されるとともに貼合し、該係止凸環及び該端縁は相互に係止して固定する請求項１に記載の医療用コネクタ。
【請求項７】
前記第１管体は、相対する２つの透過溝を有し、該環壁は、２つの貫通溝を設け、該第２バルブ部材は、第２盤体を有し、該第２管体両側から２つの翼片を延伸し、各該翼片末端に突出ブロックを延伸し、該第２切れ込みは、該第２盤体から開設し、該第２盤体及び該第１盤体は、相互に積層されて貼合し、各該翼片は、各該貫通溝及び該透過溝に穿合し、該突出ブロック及び該第１管体は、相互に係止して固定する請求項６に記載の医療用コネクタ。
【請求項８】
前記第１盤体は、複数の凸点を延伸し、該第２盤体は、複数の凹溝を設け、各該凸点は、各該凹溝に嵌合する請求項７に記載の医療用コネクタ。
【請求項９】
前記第１盤体及び該第２盤体は、それぞれ該連通口から離れる方向へ突出する凸面盤である請求項７に記載の医療用コネクタ。
【請求項１０】
更に、第１回転管及び第２回転管を含み、該第１回転管は、該第１接続口に接続され、該第１管体に相対して回転することができ、該第２回転管は、該第２接続口に接続し、該第２管体に相対して回転することができる請求項１に記載の医療用コネクタ。
【請求項１１】
前記第１管体内部に第１嵌合環を延伸し、該第１回転管外部に第１環溝を設け、該第１回転管一端は、該第１接続口から該第１管体に貫通設置され、該第１嵌合環は、該第１環溝に嵌合する請求項１０に記載の医療用コネクタ。
【請求項１２】
前記第２管体外部に第２環溝を設け、該第２回転管内部に第１嵌合環を延伸し、該第２回転管一端は、該第２接続口から該第２管体に被せ設けられ、該第１嵌合環は、該第２嵌合溝に嵌合される請求項１０に記載の医療用コネクタ。
【請求項１３】
前記第１バルブ部材及び第２バルブ部材は、それぞれプラスチック又はゴムから構成される請求項１に記載の医療用コネクタ。
【請求項１４】
接続管に用いられる単一方向弁モジュールであって、前記接続管は、連通口を有し、該単一方向弁モジュールは、
前記連通口に取り付けられるとともに該連通口を密閉し、第１切れ込みを設ける第１バルブ部材と、
前記第１バルブ部材と相互に積層され、第２切れ込みを設ける第２バルブ部材と、
を含む単一方向弁モジュール。
【請求項１５】
前記第１切れ込み及び該第２切れ込みは、交差を呈して配置される請求項１４に記載にされる単一方向弁モジュール。
【請求項１６】
前記第１切れ込み及び該第２切れ込みの間に挟み角を有し、該挟み角は、３０度〜１５０度の間である請求項１５に記載の単一方向弁モジュール。
【請求項１７】
前記第１切れ込み及び該第２切れ込みの間に挟み角を有し、該挟み角は、９０度である請求項２に記載の請求項１５に記載の単一方向弁モジュール。
【請求項１８】
前記接続管の該連通口箇所に端縁を形成し、該第１バルブ部材は、第１盤体を有し、該接続管の第１管体周縁から環壁を延伸し、該環壁は、該第１盤体から離れる一端に外向きに係止凸環を延伸し、該第１切れ込みは、該第１盤体から開設し、該環壁は、該第１管体に貫通設置されるとともに貼合氏、該係止凸環及び該端縁は相互に係止して固定する請求項１４に記載の単一方向弁モジュール。
【請求項１９】
前記接続管は、相対する２つの透過溝を有し、該環壁は、２つの貫通溝を設け、該第２バルブ部材は、第２盤体を有し、該第２管体両側から２つの翼片を延伸し、各該翼片末端に突出ブロックを延伸し、該第２切れ込みは、該第２盤体から開設し、該第２盤体及び該第１盤体は、相互に積層されて貼合し、各該翼片は、各該貫通溝及び該透過溝に穿合し、該突出ブロック及び該接続管は、相互に係止して固定する請求項１８に記載の単一方向弁モジュール。
【請求項２０】
記第１盤体は、複数の凸点を延伸し、該第２盤体は、複数の凹溝を設け、各該凸点は、各該凹溝に嵌合する請求項１９に記載の単一方向弁モジュール。
【請求項２１】
前記第１盤体及び該第２盤体は、それぞれ該連通口から離れる方向へ突出する凸面盤である請求項１９に記載の単一方向弁モジュール。
【請求項２２】
前記第１バルブ部材及び第２バルブ部材は、それぞれプラスチック又はゴムから構成される請求項１４に記載の単一方向弁モジュール。
【手続補正２】
【補正対象書類名】明細書
【補正対象項目名】００１７
【補正方法】変更
【補正の内容】
【００１７】
以下に詳細に説明し、第１バルブ部材２１は、第１盤体２１２を有し、第１盤体２１２周縁から環壁２１３を延伸し、環壁２１３の第１盤体２１２から離れる一端は、外向きに係止凸環２１４を延伸し、且つ環壁２１３に相対する２つの貫通溝２１５を設け、第１切れ込み２１１は、第１盤体２１２上から開設し、環壁２１３は、第１管体１１に貫通設置されるとともに貼合され、係止凸環２１４は、端縁１１３と相互に係止して固定する。
【手続補正３】
【補正対象書類名】明細書
【補正対象項目名】００２７
【補正方法】変更
【補正の内容】
【００２７】
また、図１〜図５に示すように、環壁２１３は、第１管体１１に貫通設置されるとともに、貼合され、係止凸環２１４及び端縁１１３が相互に係止して固定し、第２盤体２２２及び第１盤体２１２が相互に積層されて貼合し、各翼片２２３は、貫通溝２１５及び透過溝１１４に穿合され、突出ブロック２２４及び第１管体１１は、相互に係止して固定され、第１バルブ部材２１及び第２バルブ部材２２を連通口１１１にしっかりと取り付けさせて密閉し、また、各凸点２１２１は、各凹溝２２２１に嵌合し、第１盤体２１２の第２盤体２２２に対する偏移又は回転を防止し、第１バルブ部材２１及び第２バルブ部材２２の結合能力を強化する。